(57)【特許請求の範囲】
【請求項１】
被検眼眼底を撮影するための撮影光学系を内蔵する本体部と、前記本体部に着脱可能に構成されるとともに前記撮影光学系からの眼底像形成光束をＴＶカメラに導く機能を有するＴＶリレーレンズユニットとを備えた眼底カメラにおいて、
前記ＴＶリレーレンズユニットが、
可視光及び赤外先の両方に感度を有する可視蛍光撮影・赤外蛍光撮影用ＴＶカメラと、
赤外蛍光撮影モードを選択したときに眼底を観察するために赤外域に感度を有する眼底観察用ＴＶカメラと、
可視域に感度を有するカラー撮影用ＴＶカメラとを同時に搭載可能に構成されているとともに、
撮影モードに応じて前記カラー撮影用ＴＶカメラと前記可視蛍光撮影・赤外蛍光撮影用ＴＶカメラとを切り換えるために、前記眼底像形成光束の光路中に挿脱可能に配された切り換えミラーと、
前記眼底観察用ＴＶカメラに向けて前記眼底像形成光束を導くために該切り換えミラーと前記カラー撮影用ＴＶカメラとの間に設けられた反射光学素子とを備えており、
かつ、前記切り換えミラーは、前記赤外蛍光撮影モードが選択されると、観察時には前記眼底観察用ＴＶカメラに前記眼底像形成光束を導くために前記眼底像形成光束の光路から退避する一方、撮影時には前記可視蛍光撮影・赤外蛍光撮影用ＴＶカメラに前記眼底像形成光束を導くために前記光路に瞬間的に挿入されるように構成された眼底カメラ。
【請求項２】
前記反射光学素子が可視光を透過し赤外光を反射するダイクロイックミラーであることを特徴とする請求項１に記載の眼底カメラ。
【請求項３】
前記反射光学素子がハーフミラーであることを特徴とする請求項１に記載の眼底カメラ。
【請求項４】
前記反射光学素子が、前記光路に挿入されたときに前記眼底観察用ＴＶカメラに向けて前記眼底像形成光束を導くために前記光路に挿脱可能に配された切り換えミラーであることを特徴とする請求項１に記載の眼底カメラ。
【請求項５】
被検眼眼底を撮影するための撮影光学系を内蔵する本体部と、前記本体部に着脱可能に構成されるとともに前記撮影光学系からの眼底像形成光束をＴＶカメラに導く機能を有するＴＶリレーレンズユニットとを備えた眼底カメラにおいて、
前記ＴＶリレーレンズユニットが、
可視光及び赤外光の両方に感度を有する可視蛍光撮影・赤外蛍光撮影用ＴＶカメラと、
赤外蛍光撮影モードを選択したときに眼底を観察するために赤外域に感度を有する眼底観察用ＴＶカメラと、
可視域に感度を有するカラー撮影用ＴＶカメラとを同時に搭載可能に構成されているとともに、
前記赤外蛍光撮影モードを選択してその観察を行うときに、前記眼底観察用ＴＶカメラに前記眼底像形成光束を導くために前記眼底像形成光束の光路から退避し、かつその撮影を行うときに、前記可視蛍光撮影・赤外蛍光撮影用ＴＶカメラに前記眼底像形成光束を導くために前記眼底像形成光束の光路に瞬間的に挿入される第１の切り換えミラーと、
カラー撮影モードが選択されたときに、前記眼底像形成光束の光路に挿入され、かつ可視蛍光撮影モードが選択されたときに、前記眼底像形成光束の光路から退避する第２の切り換えミラーとを備えた眼底カメラ。
【請求項６】
被検眼眼底を撮影するための撮影光学系を内蔵する本体部と、前記本体部に着脱可能に構成されるとともに前記撮影光学系からの眼底像形成光束をＴＶカメラに導く機能を有するＴＶリレーレンズユニットとを備えた眼底カメラにおいて、
前記ＴＶリレーレンズユニットが、
可視光及び赤外先の両方に感度を有する可視蛍光撮影・赤外蛍光撮影用ＴＶカメラと、
赤外蛍光撮影モードを選択したときに眼底を観察するために赤外域に感度を有する眼底観察用ＴＶカメラと、
可視域に感度を有するカラー撮影用ＴＶカメラとを同時に搭載可能に構成されているとともに、
前記赤外蛍光撮影モードを選択してその観察を行うときに、前記眼底観察用ＴＶカメラに前記眼底像形成光束を導くために前記眼底像形成光束の光路に挿入され、かつその撮影を行うときに、前記可視蛍光撮影・赤外蛍光撮影用ＴＶカメラに前記眼底像形成光束を導くために前記眼底像形成光束の光路から瞬間的に退避する第１の切り換えミラーと、
カラー撮影モードが選択されたときに、前記眼底像形成光束の光路に挿入され、かつ可視蛍光撮影モードが選択されたときに、前記眼底像形成光束の光路から退避する第２の切り換えミラーとを備えた眼底カメラ。
【請求項７】
被検眼眼底を撮影するための撮影光学系を内蔵する本体部と、前記本体部に着脱可能に構成されるとともに前記撮影光学系からの眼底像形成光束をＴＶカメラに導く機能を有するＴＶリレーレンズユニットとを備えた眼底カメラにおいて、
前記ＴＶリレーレンズユニットが、
可視光及び赤外光の両方に感度を有する可視蛍光撮影・赤外蛍光撮影用ＴＶカメラと、
赤外蛍光撮影モードを選択したときに眼底を観察するために赤外域に感度を有する眼底観察用ＴＶカメラと、
可視域に感度を有するカラー撮影用ＴＶカメラとを同時に搭載可能に構成されているとともに、
前記赤外蛍光撮影モードを選択してその観察を行うときに、前記眼底観察用ＴＶカメラに前記眼底像形成光束を導くために前記眼底像形成光束の光路に挿入され、かつその撮影を行うときに、前記可視蛍光撮影・赤外蛍光撮影用ＴＶカメラに前記眼底像形成光束を導くために前記眼底像形成光束の光路から瞬間的に退避する第１の切り換えミラーと、
カラー撮影モードが選択されたときに、前記眼底像形成光束の光路から退避し、かつ可視蛍光撮影モードが選択されたときに、前記眼底像形成光束の光路に挿入される第２の切り換えミラーとを備えた眼底カメラ。
【発明の詳細な説明】
技術分野
本発明は、カラー撮影眼底像と可視蛍光眼底像と赤外蛍光眼底像とをＴＶカメラにより撮像する眼底カメラの改良に関する。
背景技術
眼底カメラでは、赤外蛍光撮影においては、通常の３５ｍｍフィルムカメラやインスタントカメラによる撮影が不可能なことから、ＴＶカメラによる眼底の観察、撮影が行われていた。しかしカラー撮影や可視蛍光撮影においては、解像度の問題から、３５ｍｍフィルムによる撮影が主流を占めていた。ところが近年では、ＣＣＤカメラの高解像度化に伴い、可視蛍光撮影やカラー撮影においても、フィルム撮影に代わってＴＶカメラによる撮影がポピュラーになりつつある。
一方、赤外蛍光撮影と可視蛍光撮影とカラー撮影とでは、照明光の波長、必要光量、必要な解像度等の違いから、複数台のＴＶカメラを撮影の種類に応じて使い分ける必要がある。このため、撮影の種類が変わると、ＴＶカメラも交換しなければならない。
また、ＴＶカメラを取り付けるには、そのＴＶカメラ専用のリレーレンズユニットを介して眼底カメラ本体にＴＶカメラを取り付けるのが普通である。このため、ＴＶカメラを交換する場合には、ＴＶリレーレンズユニットも併せて交換する必要があった。
このため、特開平８−２５６９８８号公報に記載の眼底カメラでは、ＴＶリレーレンズユニット内に光路長補正部材を設け、撮影の種類の変化による光路差の変化を補正することにより、ＴＶリレーレンズの交換を不要としているが、ＴＶカメラそのものは交換しなければならず、検者にとっては不便であった。
本発明は、上記事情に鑑みて為されたもので、その目的とするところは、カメラの交換を不要とし、操作性の高い眼底カメラを提供することにある。
発明の開示
請求項１に記載の眼底カメラは、被検眼眼底を撮影するための撮影光学系を内蔵する本体部と、本体部に着脱可能に構成されるとともに撮影光学系からの眼底像形成光束をＴＶカメラに導く機能を有するＴＶリレーレンズユニットとを備えた眼底カメラにおいて、ＴＶリレーレンズユニットが、可視光及び赤外先の両方に感度を有する可視蛍光撮影・赤外蛍光撮影用ＴＶカメラと、赤外蛍光撮影モードを選択したときに眼底を観察するために赤外域に感度を有する眼底観察用ＴＶカメラと、可視域に感度を有するカラー撮影用ＴＶカメラとを同時に搭載可能に構成されているとともに、撮影モードに応じてカラー撮影用ＴＶカメラと可視蛍光撮影・赤外蛍光撮影用ＴＶカメラとを切り換えるために、眼底像形成光束の光路中に挿脱可能に配された切り換えミラーと、眼底観察用ＴＶカメラに向けて眼底像形成光束を導くために切り換えミラーとカラー撮影用ＴＶカメラとの間に設けられた反射光学素子とを備えており、かつ、切り換えミラーは、赤外蛍光撮影モードが選択されると、観察時には眼底観察用ＴＶカメラに眼底像形成光束を導くために眼底像形成光束の光路から退避する一方、撮影時には可視蛍光撮影・赤外蛍光撮影用ＴＶカメラに眼底像形成光束を導くために光路に瞬間的に挿入されるように構成されていることを特徴とする。
請求項２に記載の眼底カメラは、請求項１に記載の眼底カメラにおいて、反射光学素子が可視光を透過し赤外光を反射するダイクロイックミラーであることを特徴とする。
請求項３に記載の眼底カメラは．請求項１に記載の眼底カメラにおいて、反射光学素子がハーフミラーであることを特徴とする。
請求項４に記載の眼底カメラは、請求項１に記載の眼底カメラにおいて、反射光学素子が、眼底像形成光束の光路に挿入されたときに眼底観察用ＴＶカメラに向けて眼底像形成光束を導くために眼底像形成光束の光路に挿脱可能に配された切り換えミラーであることを特徴とする。
請求項５に記載の眼底カメラは、被検眼眼底を撮影するための撮影光学系を内蔵する本体部と、本体部に着脱可能に構成されるとともに撮影光学系からの眼底像形成光束をＴＶカメラに導く機能を有するＴＶリレーレンズユニットとを備えた眼底カメラにおいて、ＴＶリレーレンズユニットが、可視光及び赤外先の両方に感度を有する可視蛍光撮影・赤外蛍光撮影用ＴＶカメラと、赤外蛍光撮影モードを選択したときに眼底を観察するために赤外域に感度を有する眼底観察用ＴＶカメラと、可視域に感度を有するカラー撮影用ＴＶカメラとを同時に搭載可能に構成されているとともに、赤外蛍光撮影モードを選択してその観察を行うときに、眼底観察用ＴＶカメラに眼底像形成光束を導くために眼底像形成光束の光路から退避し、かつその撮影を行うときに、可視蛍光撮影・赤外蛍光撮影用ＴＶカメラに眼底像形成光束を導くために眼底像形成光束の光路に瞬間的に挿入される第１の切り換えミラーと、カラー撮影モードが選択されたときに、眼底像形成光束の光路に挿入され、かつ可視蛍光撮影モードが選択されたときに、眼底像形成光束の光路から退避する第２の切り換えミラーとを備えたことを特徴とする。
請求項６に記載の眼底カメラは、被検眼眼底を撮影するための撮影光学系を内蔵する本体部と、本体部に着脱可能に構成されるとともに撮影光学系からの眼底像形成光束をＴＶカメラに導く機能を有するＴＶリレーレンズユニットとを備えた眼底カメラにおいて、ＴＶリレーレンズユニットが、可視光及び赤外光の両方に感度を有する可視蛍光撮影・赤外蛍光撮影用ＴＶカメラと、赤外蛍光撮影モードを選択したときに眼底を観察するために赤外域に感度を有する眼底観察用ＴＶカメラと、可視域に感度を有するカラー撮影用ＴＶカメラとを同時に搭載可能に構成されているとともに、赤外蛍光撮影モードを選択してその観察を行うときに、眼底観察用ＴＶカメラに眼底像形成光束を導くために眼底像形成光束の光路に挿入され、かつその撮影を行うときに、可視蛍光撮影・赤外蛍光撮影用ＴＶカメラに眼底像形成光束を導くために眼底像形成光束の光路から瞬間的に退避する第１の切り換えミラーと、カラー撮影モードが選択されたときに、眼底像形成光束の光路に挿入され、かつ可視蛍光撮影モードが選択されたときに、眼底像形成光束の光路から退避する第２の切り換えミラーとを備えたことを特徴とする。
請求項７に記載の眼底カメラは、被検眼眼底を撮影するための撮影光学系を内蔵する本体部と、本体部に着脱可能に構成されるとともに撮影光学系からの眼底像形成光束をＴＶカメラに導く機能を有するＴＶリレーレンズユニットとを備えた眼底カメラにおいて、ＴＶリレーレンズユニットが、可視光及び赤外先の両方に感度を有する可視蛍光撮影・赤外蛍光撮影用ＴＶカメラと、赤外蛍光撮影モードを選択したときに眼底を観察するために赤外域に感度を有する眼底観察用ＴＶカメラと、可視域に感度を有するカラー撮影用ＴＶカメラとを同時に搭載可能に構成されているとともに、赤外蛍光撮影モードを選択してその観察を行うときに、眼底観察用ＴＶカメラに眼底像形成光束を導くために眼底像形成光束の光路に挿入され、かつその撮影を行うときに、可視蛍光撮影・赤外蛍光撮影用ＴＶカメラに眼底像形成光束を導くために眼底像形成光束の光路から瞬間的に退避する第１の切り換えミラーと、カラー撮影モードが選択されたときに、眼底像形成光束の光路から退避し、かつ可視蛍光撮影モードが選択されたときに、眼底像形成光束の光路に挿入される第２の切り換えミラーとを備えたことを特徴とする。
作用
請求項１に記載の発明によれば、カラー撮影用カメラによるカラー撮影モードのときは、切り換えミラーが眼底像形成光束の光路から退避するので、眼底像形成光束の可視光成分は反射光学素子に至り、その反射光学素子を透過して、カラー撮影用ＴＶカメラに到達する。
可視蛍光撮影・赤外蛍光撮影用ＴＶカメラによる可視蛍光撮影モードのときは、切り換えミラーが眼底像形成光束の光路に挿入されるので、眼底像形成光束の可視蛍光は切り換えミラーにより反射されて可視蛍光撮影・赤外蛍光撮影用ＴＶカメラに到達する。
可視蛍光撮影・赤外蛍光撮影用ＴＶカメラによる赤外蛍光撮影モードにおいて、観察時には切り換えミラーが眼底像形成光束の光路から退避するので、眼底像形成光束の赤外蛍光は反射光学素子に至り、その反射光学素子で反射されて眼底観察用ＴＶカメラに到達する。撮影時には切り換えミラーが眼底像形成光束の光路に瞬時に挿入されるので、眼底像形成光束の赤外蛍光は切り換えミラーにより反射されて可視蛍光撮影・赤外蛍光撮影用ＴＶカメラに到達できる。
以上のように、各撮影モードに応じて切り換えミラーが動作し、各撮影モードに対応して使用するＴＶカメラに向けて眼底像形成光束を導くので、本発明にかかる眼底カメラは撮影モード毎にＴＶカメラを着脱して交換する必要がなく、操作性が高いという効果を奏する。
発明を実施するための最良の形態
図１において、引用符号１は眼底カメラ本体である。この眼底カメラ本体１には被検眼Ｅの眼底Ｆｕを照明する照明光学系２と、眼底Ｆｕを撮影する撮影光学系３とで大略構成される。
図１中に示されるように照明光学系２には、凹面反射鏡４，被検眼Ｅの眼底観察照明用のハロゲンランプ５，リレーレンズ６，被検眼Ｅの眼底撮影照明用のキセノン管７，コンデンサレンズ８，反射ミラー９，リング状スリット１０，リレーレンズ１１，穴空きミラー１３，対物レンズ１２が順に配されている。照明光路中には、さらにコンデンサレンズ８と反射ミラー９との間に可視蛍光撮影用エキサイタフィルタ１４と赤外蛍光撮影用エキサイタフィルタ１５とが挿脱可能に設けられている。なお、穴空きミラー１３と対物レンズ１２は、後述する撮影光学系と共用している。
ハロゲンランプ５からの照明光は、リレーレンズ６，コンデンサレンズ８，反射ミラー９，リングスリット１０，リレーレンズ１１を介して穴空きミラー１３に導かれ、その穴空きミラー１３により反射された後、対物レンズ１２を通って眼底Ｆｕに達する。可視蛍光撮影用エキサイタフィルタ１４は、可視蛍光を用いた撮影（可視蛍光撮影モード）時にこの照明光路に挿入され、赤外蛍光撮影用エキサイタフィルタ１５は、赤外蛍光を用いた撮影（赤外蛍光撮影モード）時にこの照明光路に挿入される。通常の可視光を用いた撮影（カラー撮影モード）時には、エキサイタフィルタ１４，１５は両方とも退避する。
撮影光学系３には、対物レンズ１２，穴空きミラー１３，合焦レンズ１６，結像レンズ１７，クイックリターンミラー１９が順に配されている。撮影光路中には、さらに穴空きミラー１３と合焦レンズ１６との間に光路長補正フィルター２０，２１と可視蛍光撮影用バリアフィルタ２２，赤外蛍光撮影用バリアフィルタ２３とが挿脱可能に設けられ、結像レンズ１７とクイックリターンミラー１９との間に変倍レンズ１８が挿脱可能に設けられている。なお、穴空きミラー１３と対物レンズ１２は、照明光学系と共用している。
眼底Ｆｕからの光束（眼底像形成光束）は対物レンズ１２，穴空きミラー１３の穴部１３ａを通じて合焦レンズ１６，結像レンズ１７に導かれる。各光路長補正フィルター２０，２１は、撮影光の波長に基づく結像収差を補正するため、撮影モードに応じて撮影光路中に挿脱される。可視蛍光バリアフィルタ２２は可視蛍光撮影モードのときにこの撮影光路中に挿入され、赤外蛍光バリアフィルタ２３は赤外蛍光撮影モードのときにこの撮影光路中に挿入される。カラー撮影モードのときにはバリアフィルタ２２，２３は両方とも退避する。変倍レンズ１８は眼底Ｆｕを拡大して観察撮影するときにこの撮影光路中に挿入される。
眼底カメラ本体１には、接眼光学系２４と３５ｍｍフィルムカメラ２５とが着脱可能に設けられている。３５ｍｍフィルムカメラ２５は、撮影光路の延長線上でかつクイックリターンミラー１９に対して、変倍レンズ１８と反対側の位置に配されていて、図中に２点鎖線で示すようにクイックリターンミラー１９が撮影光路から退避したときに、眼底Ｆｕからの光束が到達するように構成されている。したがって、クイックリターンミラー１９は３５ｍｍフィルムカメラ２５を用いて撮影するときには撮影光路から瞬間的に退避するように制御されるが、後述するＴＶカメラを用いて撮影する場合には、光路中に挿入されたままである。
接眼光学系２４は、クイックリターンミラー１９が撮影光路中に挿入されたときの反射光路上に配されたクイックリターンミラー２６の反射光路上に配されている。したがって、接眼光学系２４で眼底Ｆｕを観察するときには、このクイックリターンミラー２６はクイックリターンミラー１９の反射光路上に挿入されるが、接眼光学系２４で眼底Ｆｕを観察しないとき、すなわち、後述する観察用ＴＶカメラ３２を用いて眼底Ｆｕを観察するときには、図中に２点鎖線で示されるようにこの反射光路上から退避する。この眼底カメラでは、カラー撮影モードと可視蛍光撮影モードのときに、接眼光学系２４を用いて観察する構成とされている。
眼底カメラ本体１の上部には、フィールドレンズ２９が配されたユニット取り付け部２８が設けられ、そのユニット取り付け部２８を介して、ＴＶリレーレンズユニット２７が着脱可能に取り付けられている。クイックリターンミラー１９により反射された眼底像形成光束は、クイックリターンミラー２６が光路から退避している場合はいったんこのフィールドレンズ２９の近傍で結像され、その後ＴＶリレーレンズユニット内に導かれる。
ＴＶリレーレンズユニット２７には、可視蛍光眼底像と赤外蛍光眼底像とを静止画記録するための静止画記録用ＴＶカメラ３０（可視蛍光撮影・赤外蛍光撮影用ＴＶカメラ）と、可視光眼底像を静止画記録するためのカラー撮影用ＴＶカメラ３１と、赤外蛍光眼底像を観察するための観察用ＴＶカメラ３２（眼底観察用ＴＶカメラ）とが取り付けられていて、それぞれのＴＶカメラには、ＴＶリレーレンズ３３〜３５がそれぞれ設けられている。なお、観察用ＴＶカメラ３２には、後述する反射光学素子としてのダイクロイックミラー３８によって分割された眼底像形成光束が導かれるが、この分割された眼底像形成光束は光束光量が低いので、観察用ＴＶカメラ３２には静止画記録用ＴＶカメラ３０の感度よりも感度が大きいものを用いる。
ＴＶリレーレンズユニット２７の内部には、眼底像形成光束の光路（以下、光路Ｏ２とする。）上に、フィールドレンズ２９に近い方から順に、クイックリターンミラーとしての機能を有する切り換えミラー３７，反射光学素子としての可視光透過／赤外光反射型ダイクロイックミラー３８，全反射ミラー３９が配されている。切り換えミラー３７は、図中に２点鎖線で示すように、光路Ｏ２中に挿入されたときに眼底像形成光束を静止画記録用ＴＶカメラに向けて導くように配置されている。ダイクロイックミラー３８は眼底像形成光束を可視光成分と赤外光成分に分割し、可視光成分を透過させて全反射ミラー３９に向けて導く一方、赤外光成分を反射して観察用ＴＶカメラ３２に向けて導く。
カラー撮影用ＴＶカメラ３１によるカラー撮影モードにおいては、切り換えミラー３７は光路Ｏ２から退避している。まず眼底Ｆｕを観察する際、クイックリターンミラー１９及び２６は光路Ｏ２中に挿入される。それにより、眼底Ｆｕからの眼底像形成光束は接眼光学系２４に向けて導かれ、接眼光学系２４からの眼底像の観察が可能となる。眼底Ｆｕを撮影する際には、図示しないシャッターボタンを押すと、クイックリターンミラー２６が反射光路から瞬時に退避する。切り換えミラー３７は事前に退避しているので、眼底像形成光束はダイクロイックミラー３８に至る。眼底像形成光束の可視光成分はダイクロイックミラー３８を透過し、全反射ミラー３９にて反射されてカラー撮影用ＴＶカメラ３１に導かれる。カラー撮影用ＴＶカメラ３１のＴＶリレーレンズ３４の光束入射手前には、光路長補正フィルタ４２が設けられている。この光路長補正フィルタ４２は光路長補正フィルタ２０，２１と同様に撮影光の波長による結像収差を除去する機能を有し、カラー撮影モード時には光路長補正フィルタ４２が光路中に自動的に挿入される。このようにして、カラー撮影用ＴＶカメラ３１による可視光眼底像の撮影を行うことができる。
静止画記録用ＴＶカメラ３０による可視蛍光撮影モード、すなわちエキサイタフィルタ１４、バリアフィルタ２２が光路に挿入された状態で行う撮影においては、切り換えミラー３７は光路Ｏ２中に挿入されている。まず眼底Ｆｕを観察する際、クイックリターンミラー１９及び２６は光路Ｏ２中に挿入される。それにより、眼底Ｆｕからの眼底像形成光束は接眼光学系２４に向けて導かれ、接眼光学系２４からの眼底像の観察が可能となる。眼底Ｆｕを撮影する際には、図示しないシャッターボタンを押すと、クイックリターンミラー２６が反射光路から瞬時に退避する。切り換えミラー３７は事前に挿入されているので、眼底像形成光束は切り換えミラー３７にて反射されて静止画記録用ＴＶカメラ３０に導かれる。静止画記録用ＴＶカメラ３０のＴＶリレーレンズ３３の光束入射手前には、光路長補正フィルタ４０，４１が設けられている。この光路長補正フィルタ４０，４１は光路長補正フィルタ２０，２１と同様に撮影光の波長による結像収差を除去する機能を有し、可視蛍光撮影モード時には光路長補正フィルタ４０が光路中に自動的に挿入される。このようにして、静止画記録ＴＶカメラ３０による可視蛍光眼底像の撮影を行うことができる。
静止画記録用ＴＶカメラ３０による赤外蛍光撮影モード、すなわちエキサイタフィルタ１５、バリアフィルタ２３が光路に挿入された状態で行う撮影においては、切り換えミラー３７は光路Ｏ２から退避している。まず眼底Ｆｕを観察する際、クイックリターンミラー１９は光路Ｏ２中に挿入され、クイックリターンミラー２６は光路Ｏ２から退避する。切り換えミラー３７も光路Ｏ２から退避しているので、クイックリターンミラー１９で反射された眼底像形成光束は、ダイクロイックミラー３８に至る。眼底像形成光束の赤外成分は、ダイクロイックミラー３８によって反射され、観察用ＴＶカメラ３１に導かれる。このようにして、観察用ＴＶカメラ３１により赤外蛍光眼底像の観察を行うことができる。眼底Ｆｕを撮影する際には、図示しないシャッターボタンを押すと、クイックリターンミラーとしての機能を有する切り換えミラー３７が瞬時に光路Ｏ２中に挿入される。眼底像形成光束は、切り換えミラー３７によって遮断されるとともに反射され、静止画記録用ＴＶカメラ３０に導かれる。静止画記録用ＴＶカメラ３０のＴＶリレーレンズ３３の光束入射手前には、光路長補正フィルタ４０，４１が設けられていて、赤外蛍光撮影モード時には光路長補正フィルタ４１が光路中に自動的に挿入される。
このようにして、静止画記録用ＴＶカメラ３０による赤外蛍光眼底像の撮影を行うことができる。
［変形例１］
この発明の実施例では、切り換えミラー３７と全反射ミラー３９との間に反射光学素子としてのダイクロイックミラー３８を設ける構造としたが、ダイクロイックミラー３８の代わりにハーフミラー３８を用いてもよい。
この場合、カラー撮影モードでは、切り換えミラー３７が光路Ｏ２から退避して、眼底像形成光束がカラー撮影用ＴＶカメラ３１に向けて導かれる。
可視蛍光撮影モードでは、切り換えミラー３７が光路Ｏ２に挿入されて、眼底像形成光束が静止画記録用ＴＶカメラ３０に向けて導かれる。
赤外蛍光撮影モードでは、観察時には切り換えミラー３７が光路Ｏ２から退避して、赤外蛍光眼底像が観察用ＴＶカメラ３２に導かれる。また、その撮影時にはシャツターボタンが押されるとともにクイックリターンミラーとしての機能を有する切り換えミラー３７が瞬時に光路Ｏ２に挿入されて、赤外蛍光眼底像が静止画記録用ＴＶカメラ３０に向けて導かれる。
［変形例１’］
この発明の実施例では、切り換えミラー３７と全反射ミラー３９との間に反射光学素子としてのダイクロイックミラー３８を設ける構造としたが、光路Ｏ２中に挿脱可能な反射光学素子としての切り換えミラー３８をダイクロイックミラーの代わりに用いてもよい。
この場合、カラー撮影モードでは、切り換えミラー３７と切り換えミラー３８とが光路Ｏ２から退避して、眼底像形成光束がカラー撮影用ＴＶカメラ３１に向けて導かれる。
可視蛍光撮影モードでは、切り換えミラー３７が光路Ｏ２に挿入されて、眼底像形成光束が静止画記録用ＴＶカメラ３０に向けて導かれる。
赤外蛍光撮影モードでは、観察時には切り換えミラー３７が光路Ｏ２から退避するとともに切り換えミラー３８が光路Ｏ２に挿入され、赤外蛍光眼底像が観察用ＴＶカメラ３２に導かれる。また、その撮影時にはシャッターボタンが押されるとともにクイックリターンミラーとしての機能を有する切り換えミラー３７が瞬時に光路Ｏ２に挿入されて、赤外蛍光眼底像が静止画記録用ＴＶカメラ３０に向けて導かれる。
なお、観察用ＴＶカメラ３２を可視光・赤外光の両方に感度を有するものに変更し、切り換えミラー３８にクイックリターン機能を持たせることにより、接眼光学系２４を廃止できる。
［変形例２］
この発明の実施例では、ダイクロイックミラー３８を、赤外光反射・可視光透過特性を有するものとし、反射方向に観察用ＴＶカメラ３２を、透過方向にカラー撮影用ＴＶカメラ３１を配置しているが、ダイクロイックミラー３８を可視光反射・赤外光透過特性を有するものとしてもよい。
すなわち、図２に示すように、ＴＶリレーレンズユニット２７には下から順番に光路Ｏ２に、切り換えミラー３７、ダイクロイックミラー３８、全反射ミラー３９が配置されている。また、ＴＶリレーレンズユニット２７の筐体には下から順番に、静止画記録用ＴＶカメラ３０、カラー撮影用ＴＶカメラ３１、観察用ＴＶカメラ３２が取り付けられている。
この変形例２による眼底カメラによれば、カラー撮影モードでは、切り換えミラー３７が光路Ｏ２から退避して、眼底像形成光束の可視光成分がカラー撮影用ＴＶカメラ３１に向けて導かれる。
可視蛍光撮影モードでは、切り換えミラー３７が光路Ｏ２に挿入されて、眼底像形成光束が静止画記録用ＴＶカメラ３０に向けて導かれる。
赤外蛍光撮影モードでは、観察時には切り換えミラー３７が光路Ｏ２から退避して、赤外蛍光眼底像が観察用ＴＶカメラ３２に向けて導かれる。また、その撮影時にはシャッターボタンが押されるとともにクイックリターンミラーとしての機能を有する切り換えミラー３７が瞬時に光路Ｏ２に挿入されて、赤外蛍光眼底像が静止画記録用ＴＶカメラ３０に向けて導かれる。
［変形例３］
この発明の実施例では、切り換えミラー３７と全反射ミラー３９との間に反射光学素子としてのダイクロイックミラー３８を設ける構造としたが、以下に説明する構成としてもよい。
すなわち、図３に示すように、ＴＶリレーレンズユニット２７には下から順番に光路Ｏ２に、切り換えミラー３８、切り換えミラー３７、全反射ミラー３９が配置されている。また、ＴＶリレーレンズユニット２７の筐体には下から順番に、カラー撮影用ＴＶカメラ３１、静止画記録用ＴＶカメラ３０、観察用ＴＶカメラ３２が取り付けられている。
この変形例３によれば、カラー撮影モードでは、切り換えミラー３８が光路Ｏ２に挿入されて、眼底像形成光束がカラー撮影用ＴＶカメラ３１に向けて導かれる。
可視蛍光撮影モードでは、切り換えミラー３７が光路Ｏ２に挿入されるとともに切り換えミラー３８が光路Ｏ２から退避して、眼底像形成光束が静止画記録用ＴＶカメラ３０に向けて導かれる。
赤外蛍光撮影モードでは、観察時には切り換えミラー３７と切り換えミラー３８とが光路Ｏ２から退避して、赤外蛍光眼底像が観察用ＴＶカメラ３２に導かれる。また、その撮影時にはシャッターボタンが押されるとともにクイックリターンミラーとしての機能を有する切り換えミラー３７が瞬時に光路Ｏ２に挿入されて、赤外蛍光眼底像が静止画記録用ＴＶカメラ３０に向けて導かれる。
［変形例４］
変形例３における静止画記録用ＴＶカメラ３０と観察用ＴＶカメラ３２の配置を入れ替えてもよい。
すなわち、図４に示すように、ＴＶリレーレンズユニット２７には下から順番に光路Ｏ２に、切り換えミラー３８、切り換えミラー３７、全反射ミラー３９が配置されている。また、ＴＶリレーレンズユニット２７の筐体には下から順番に、カラー撮影用ＴＶカメラ３１、観察用ＴＶカメラ３２、静止画記録用ＴＶカメラ３０が取り付けられている。
この変形例４によれば、カラー撮影モードでは、切り換えミラー３８が光路Ｏ２に挿入されて、眼底像形成光束がカラー撮影用ＴＶカメラ３１に向けて導かれる。
可視蛍光撮影モードでは、切り換えミラー３７と切り換えミラー３８とが光路Ｏ２から退避して、眼底像形成光束が静止画記録用ＴＶカメラ３０に向けて導かれる。
赤外蛍光撮影モードでは、観察時には切り換えミラー３７が光路Ｏ２に挿入されるとともに切り換えミラー３８が光路Ｏ２から退避して、赤外蛍光眼底像が観察用ＴＶカメラ３２に向けて導かれる。また、その撮影時にはシャッターボタンが押されるとともにクイックリターンミラーとしての機能を有する切り換えミラー３７が瞬時に光路Ｏ２から退避して、赤外蛍光眼底像が静止画記録用ＴＶカメラ３０に向けて導かれる。
［変形例５］
また、以下に説明する構成を採用することもできる。
すなわち、図５に示すように、ＴＶリレーレンズユニット２７の下から順番に光路Ｏ２に、切り換えミラー３７、切り換えミラー３８、全反射ミラー３９が配置されている。また、ＴＶリレーレンズユニット２７の筐体には下から順番に、観察用ＴＶカメラ３２、カラー撮影用ＴＶカメラ３１、静止画記録用ＴＶカメラ３０が取り付けられている。
この変形例５によれば、カラー撮影モードでは、切り換えミラー３７が光路Ｏ２から退避するとともに切り換えミラー３８が光路Ｏ２に挿入されて、眼底像形成光束がカラー撮影用ＴＶカメラ３１に向けて導かれる。
可視蛍光撮影モードでは、切り換えミラー３７と切り換えミラー３８とが光路Ｏ２から退避して、眼底像形成光束が静止画記録用ＴＶカメラ３０に向けて導かれる。
赤外蛍光撮影モードでは、観察時には切り換えミラー３７が光路Ｏ２に挿入されるとともに切り換えミラー３８が光路Ｏ２から退避して、赤外蛍光眼底像が観察用ＴＶカメラ３２に向けて導かれる。また、その撮影時にはシャッターボタンが押されるとともにクイックリターンミラーとしての機能を有する切り換えミラー３７が瞬時に光路Ｏ２から退避して、赤外蛍光眼底像が静止画記録用ＴＶカメラ３０に向けて導かれる。
［変形例６］
さらに、以下に説明する構成とすることもできる。
すなわち、図６に示すように、ＴＶリレーレンズユニット２７の下から順番に光路Ｏ２に、切り換えミラー３７、切り換えミラー３８、全反射ミラー３９が配置されている。また、ＴＶリレーレンズユニット２７の筐体には下から順番に、観察用ＴＶカメラ３２、静止画記録用ＴＶカメラ３０、カラー撮影用ＴＶカメラ３１が取り付けられている。
この変形例６によれば、カラー撮影モードでは、切り換えミラー３７と切り換えミラー３８とが光路Ｏ２から退避して、眼底像形成光束がカラー撮影用ＴＶカメラ３１に向けて導かれる。
可視蛍光撮影モードでは、切り換えミラー３７が光路Ｏ２から退避するとともに切り換えミラー３８が光路Ｏ２に挿入されて、眼底像形成光束が静止画記録用ＴＶカメラ３０に向けて導かれる。
赤外蛍光撮影モードでは、観察時には切り換えミラー３７と切り換えミラー３８とが光路Ｏ２に挿入されて、赤外蛍光眼底像が観察用ＴＶカメラ３２に向けて導かれる。また、その撮影時にはシャッターボタンが押されるとともにクイックリターンミラーとしての機能を有する切り換えミラー３７が瞬時に光路Ｏ２から退避して、赤外蛍光眼底像が、すでに光路Ｏ２に挿入されている切り換えミラー３８により反射されて静止画記録用ＴＶカメラ３０に向けて導かれる。
これらの実施例及び変形例１〜６の各撮影モードの際の切り換えミラー３７と反射光学素子３８の動作を、以下に示す表１に要約した。
［表１］
産業上の利用可能性
本発明に係わる眼底カメラは、以上説明したように構成したので、カメラの交換の必要性がなくなり、操作性が高いという効果を奏する。
0004447172.tif 000002
【図面の簡単な説明】
図１  本発明の実施例、変形例１及び１’に係る眼底カメラを側方から見た要部構成を示す部分断面図である。
図２  本発明の変形例２に係る眼底カメラを側方から見た要部構成を示す部分断面図である。
図３  本発明の変形例３に係る眼底カメラを側方から見た要部構成を示す部分断面図である。
図４  本発明の変形例４に係る眼底カメラを側方から見た要部構成を示す部分断面図である。
図５  本発明の変形例５に係る眼底カメラを側方から見た要部構成を示す部分断面図である。
図６  本発明の変形例６に係る眼底カメラを側方から見た要部構成を示す部分断面図である。
【図１】
0004447172.tif 000003
【図２】
0004447172.tif 000004
【図３】
0004447172.tif 000005
【図４】
0004447172.tif 000006
【図５】
0004447172.tif 000007
【図６】
0004447172.tif 000008